(57)【特許請求の範囲】
【請求項１】
光学的に読み取り可能なビット情報を極座標チャートに記録したビックバンコードとビックバンコードの中心に形成した光反射率の高い反射ドットとを読み取るビックバンコード読み取り器であって、前記ビックバンコードのほぼ中心に対向させた状態で光線を前方投射する発光素子と、光路中に存在する前記ビット情報からの反射光又は透過光の有無をもって他のビット情報と識別受光する受光素子と、該識別用の受光素子の中心に配置され、前記反射ドットからの反射光を受光する位置決め用の受光素子とを具備することを特徴とするビックバンコード読み取り器。
【発明の詳細な説明】
【０００１】
【発明の属する技術分野】
本発明は、光学的に読み取り可能なビット情報を極座標チャートに記録したビックバンコードを読み取るビックバンコード読み取り器に関するものである。
【０００２】
【従来の技術】
従来、製造国やメーカー名或いは商品分類などを商品に表示する手段としてバーコードが用いられている。
【０００３】
ところが、バーコードは表示可能な情報量が少なく、高度の印字品質が要求される上に汚れや破損にも弱く、また、小さいスペースには印字できず、更に印字する商品の美観を損なう欠点がある。
【０００４】
そこで、これらの欠点を解消するコードとして光学的に読み取り可能なビット情報を極座標チャートに記録したビックバンコードが考えられ、例えば実願昭６２−１０４１９６号（実開昭６４（平１）−１０８６２号）のマイクロフィルム、特開昭６３−２４０６８８号公報、特開平２−７５０９１号公報などに提示されている。
【０００５】
そして、前記公報にはコード情報の読み取り手段に関して、ＣＣＤなどの光学式センサーを用いる旨が記載されている。
【０００６】
【発明が解決しようとする課題】
しかしながら、これらの読み取り手段は、ビット情報を正確に読み取るための具体的な構成は示されていない。
【０００７】
殊に、極座標チャートにビット情報を記載したビックバンコードは従来のバーコードとは異なりビット情報が円の中心を基準として放射状に配列されており、この中心を定めてビット情報を読み取ることが必要であり、従来知られている光学式センサーを用いて正確に読み取ることはきわめて困難である。
【０００８】
従って、本発明の目的は、極座標チャートにビット情報を記録したビックバンコードを正確に読み取ることが可能なビックバンコード読み取り器を提供することにある。
【０００９】
【課題を解決するための手段】
本発明は、光学的に読み取り可能なビット情報を極座標チャートに記録したビックバンコードとビックバンコードの中心に形成した光反射率の高い反射ドットとを読み取るビックバンコード読み取り器であって、前記ビックバンコードのほぼ中心に対向させた状態で光線を前方投射する発光素子と、光路中に存在する前記ビット情報からの反射光又は透過光の有無をもって他のビット情報と識別受光する受光素子と、該識別用の受光素子の中心に配置され、前記反射ドットからの反射光を受光する位置決め用の受光素子とを具備することを特徴とするビックバンコード読み取り器により目的を達するようにしたものである。
【００１０】
【作用】
同心円状に配列された複数の円と該同心円の中心から放射状に延びる複数の放射線に放射線により形成される極座標チャートに倣って、同心配列された径が異なる円周上にビット情報の識別受光に必要なピッチをもって等間隔に配置した複数の受光素子を配列したので、同心円の中心に配設された発光素子から出射してビット情報にて反射された光線を正確に受光する。また、ビックバンコードの中心の反射ドットからの反射光を位置決め用の受光素子で受光するので、ビックバンコードと読み取り器の中心を簡単に合致させることができる。
【００１１】
【実施例】
以下、本発明の実施例について、図１ないし図３を参照して説明する。
【００１２】
図１に示すビックバンコード読み取り器５１は、４本の同心円と８本の放射線からなる極座標チャートに記載されたビックバンコード３１を読み取るものであり、読み取り器本体５２内に、ビックバンコード３１の中心点に対向させた状態で光線を前方投射する発光素子５３と、この発光素子５３を中心とする同心環状に囲して配設した４列の受光素子列５４１，５４２，５４３，５４４からなる。各受光素子列５４１，５４２，５４３，５４４は、ビット情報を反射光の有無をもって環状に配列して構成してある。
【００１３】
また、読み取り器本体５２は、ビックバンコード３１が記憶されたシートに密着させて読み取りを行う密着読み取り型の構成であり、図２に示したように、筒状の開口端面をビックバンコード３１を覆うように押し当てて読み取りを行う。
【００１４】
殊に、本実施例では、ビックバンコード３１の中心点に発光素子５３が正対したか否か判別でき、ビックバンコード３１の中心点に発光素子５３が正対したときに読み取りが行えるように構成されている。
【００１５】
即ち、ビックバンコード３１の中心点に銀箔などの光反射率の高い反射ドット３１ａを形成するとともに、発光素子５３に位置決め受光素子５５を抱き合わせておき、発光素子５３から投射された光線がビックバンコード３１の中心にある反射ドット３１ａにて反射され、位置決め用受光素子５５にて受光されたときに、読み取り器本体５２に設けたランプ５６を点滅させ、この点滅を視認した上で読み取り器本体５２の側面に設けた押し釦５７を押すことにより、読み取りが行われる構成である。
【００１６】
従って、読み取り時点では、発光素子５３から投射された光線は、シート面で反射された後に、４列の同心環状に配列された各受光素子列５４１，５４２，５４３，５４４の対応する受光素子５４に正確に入射する。
【００１７】
このように、本実施例におけるビックバンコード読み取り器５１は同心円状に配列された複数の円と該同心円の中心から放射状に延びる複数の放射状により形成される極座標チャートに倣って、同心配列された径が異なる各円周上にビット情報の識別受光に必要なピッチをもって等間隔に複数の受光素子５４を配列したので、同心円の中心に配列された発光素子５３から出射してビット情報にて反射された光線を正確に受光することができる。
【００１８】
また、その際にビックバンコード３１とビックバンコード読み取り器５１との中心同士を正対させるため、中心同士を結ぶ線の周りにビックバンコード読み取り器５１が位相的に振れていても、読み取り上の問題ではなく、従って、２次元配列でありながらスポット的な位置合わせで正確且つ容易に読み取ることができる。
【００１９】
尚、前記実施例では、ビット情報にて反射された光線を受光する反射式のビックバンコード読み取り器５１を例にとったが、ビット情報を透過した光線を受光する透過読み取り式の構成とすることもできる。
【００２０】
また、ビックバンコードを、人間の目には見えない特殊な蛍光材でもってシート面に印刷しておき、赤外線を投射してコードを読み取る構成とすることもできる。
【００２１】
【発明の効果】
本発明のビックバンコード読み取り器は、ビックバンコードの同心円のほぼ中心に対向させた状態で光線を前方投射する発光素子と、光路中に存在する前記ビット情報を反射光又は透過光の有無をもって他のビット情報と識別受光する受光素子とを設けて構成したから、同心円状に配列された複数の円と該同心円の中心から放射状に延びる複数の放射線により形成される極座標チャートに倣って、同心配列された径が異なる円周上にビット情報の識別受光に必要なピッチをもって等間隔に複数の受光素子から出射してビット情報にて反射された光線を正確に受光することができ、また、その際にビックバンコードとビックバンコード読み取り器の中心同士を結ぶ線の周りにビックバンコード読み取り器が位相的に振れていようとも、読み取り上の問題ではなく、従って２次元配列でありながらスポット的な位置合わせで正確且つ容易に読み取ることができる等の効果を奏する。
【００２２】
また、ビックバンコードの中心に形成された光反射率の高い反射ドットから反射光を受光するための位置決め用の受光素子を識別用の受光素子の中心に配置した構成としたことにより、読み取り時にビックバンコードの中心とビックバンコード読み取り器の中心を簡単に合致させることができる。
【図面の簡単な説明】
【図１】本発明のビックバンコード読み取り器の一実施例を示す概略図である。
【図２】図１に示したビックバンコード読み取り器の縦断面図である。
【符号の説明】
５１  ビックバンコード読み取り器
５３  発光素子
５４  受光素子
【図１】
0003600916.tif 000002
【図２】
0003600916.tif 000003
【図３】
0003600916.tif 000004